(57)【要約】【課題】ＲＦＩＤタグ、ＲＦＩＤタグリーダ、およびＲＦＩＤシステムに対して付加的なコストを必要とせず、データの読み出しが可能な状態と不可能な状態との切り替えを任意に制御可能なＲＦＩＤタグを提供する。【解決手段】データが格納されたＩＣチップ部１１とそのＩＣチップ部１１と接続して外部と交信するループコイルアンテナ１２とが配設された基板１３を有するＲＦＩＤタグにおいて、基板１３は曲げ伸ばし可能な材質で作られ、基板１３を折り曲げることによってループコイルアンテナ１２が畳み込まれてそれぞれがほぼ平行な状態で重なり、ループコイルアンテナ１２の開口面積が非常に小さくなり、通過する電磁波が非常に小さくなってＲＦＩＤタグの動作に必要な電磁波を得ることが困難となり、基板を伸ばすと通過する電磁波が増加して所望のアクセスを行なわせることができる。【選択図】図１
2006148462.tif 000002
【特許請求の範囲】
【請求項１】
データが格納されたＩＣチップ部と該ＩＣチップ部と接続して外部と交信するループコイルアンテナとが配設された基板を有するＲＦＩＤタグにおいて、
前記ループコイルアンテナが畳み込まれてそれぞれがほぼ平行な状態で重なるように、前記基板が重ね合わせ可能であることを特徴とするＲＦＩＤタグ。
【請求項２】
前記ループコイルアンテナの中心線近傍を折り畳み位置として該ループコイルアンテナの両側がほぼ平行な状態で重なるように、前記基板が重ね合わせ可能である、請求項１に記載のＲＦＩＤタグ。
【請求項３】
前記基板は１枚の曲げ伸ばし可能な材料から構成されており、該基板は両側がほぼ平行な状態で重なるように折り重ね可能である、請求項２に記載のＲＦＩＤタグ。
【請求項４】
前記基板は第１の基板と第２の基板との２枚に分割され、前記ループコイルアンテナも第１の部分ループコイルアンテナと第２の部分ループコイルアンテナとにほぼ対称に分割され、
前記第１の基板には前記第１の部分ループコイルアンテナが配設され、前記第２の基板には前記ＩＣチップ部と前記第２の部分ループコイルアンテナが配設され、
前記第１の部分ループコイルアンテナの両端部と前記第２の部分ループコイルアンテナの両端部とは、それぞれ導電性を有する曲げ伸ばし可能な接続部材で接続されている、請求項２に記載のＲＦＩＤタグ。
【請求項５】
データが格納されたＩＣチップ部と該ＩＣチップ部と接続して外部と交信するループコイルアンテナとが配設された基板を有するＲＦＩＤタグにおいて、
前記ＩＣチップ部と該ＩＣチップ部と接続するループコイルアンテナの複数の組み合わせが、複数の前記ループコイルアンテナが平行な状態で重なるように、前記基板が重ね合わせ可能であることを特徴とするＲＦＩＤタグ。
【請求項６】
前記ＩＣチップ部と該ＩＣチップ部と接続するループコイルアンテナの第１の組み合わせと、前記ＩＣチップ部と該ＩＣチップ部と接続するループコイルアンテナの前記第１の組み合わせと線対称な第２の組み合わせが、ほぼ平行で面対称な状態で重なるように、前記基板が重ね合わせ可能である、請求項５に記載のＲＦＩＤタグ。
【請求項７】
前記基板は１枚の曲げ伸ばし可能な材料から構成されており、該基板は両側がほぼ平行な状態で重なるように折り重ね可能である、請求項６に記載のＲＦＩＤタグ。
【請求項８】
前記基板は第１の基板と第２の基板との２枚に分割され、前記第１の基板には前記ＩＣチップ部と該ＩＣチップ部と接続するループコイルアンテナの第１の組み合わせが配設され、前記第２の基板には前記ＩＣチップ部と該ＩＣチップ部と接続するループコイルアンテナの第２の組み合わせが配設されている、請求項６に記載のＲＦＩＤタグ。
【請求項９】
会員証として必要なデータが前記ＩＣチップ部に記憶されている請求項１から請求項８のいずれか１項に記載のＲＦＩＤタグ。
【請求項１０】
スタンプカードとして必要なデータが前記ＩＣチップ部に記憶されている請求項１から請求項８のいずれか１項に記載のＲＦＩＤタグ。
【発明の詳細な説明】
【技術分野】
【０００１】
本発明はデータキャリアであるＲＦＩＤタグに関し、特に無線通信を使用して個体識別やデータの送受信を行なうＲＦＩＤタグに関する。
【背景技術】
【０００２】
近年、無線通信を用いた自動認識技術として、データキャリアシステムの一種であるＲＦＩＤ(Ｒａｄｉｏ  Ｆｒｅｑｕｅｎｃｙ  Ｉｄｅｎｔｉｆｉｃａｔｉｏｎ)システムが急速に普及しつつある。一般的に、ＲＦＩＤシステムは、データの記憶領域を持ち物品などに取り付けられるＲＦＩＤタグ（ＩＣタグとも呼ばれる）、およびこのＲＦＩＤタグ内に格納されているデータを読み出したり、あるいはタグ内の記憶領域に対してデータを書き込んだりするためのＲＦＩＤタグリーダライタにより構成される。
【０００３】
ＲＦＩＤシステムの特徴の１つとして、無線を用いることにより、ＲＦＩＤタグリーダライタとＲＦＩＤタグの間に物理的な接続がない非接触状態でのデータアクセスが可能であるということが挙げられる。従って、ＲＦＩＤタグリーダライタとＲＦＩＤタグとの間に物理的な遮蔽物がある場合でも、無線の電磁波が届く限りにおいて通信が可能であるなどの利点があり、流通業界をはじめとするさまざまな領域への応用が期待されている。
【０００４】
一般に使用されているＲＦＩＤタグは、ラベル型、コイン型、およびバンド型など、外形的にはさまざまな形態に加工されているが、その基本となるＩＣチップ部とループコイルアンテナを基板上で組み合わせた構成はＲＦＩＤタグインレイと呼ばれている。ＲＦＩＤタグおよびＲＦＩＤタグインレイの構成を図６、図７に示す。図６は、従来例のＲＦＩＤタグおよびＲＦＩＤタグインレイの構造と構成を示す模式図であり、（ａ）は構造を示す模式的上面図であり、（ｂ）は構成を示す模式的ブロック図である。図７はＲＦＩＤタグの動作原理を説明するための模式的斜視図である。
【０００５】
ＲＦＩＤタグインレイ６０は、一般に、ＰＥＴ（Ｐｏｌｙｅｔｈｙｌｅｎｅ  ｔｅｒｅｐｈｔｈａｌａｔｅ、ポリエチレンテレフタレート）フィルムなどの薄い基板６３上にループコイルアンテナ６２とＩＣチップ部６１が実装され、ループコイルアンテナ６２とＩＣチップ部６１とは配線によって物理的・電気的に接続されている。ループコイルアンテナ６２は、ＲＦＩＤタグリーダライタ６４との間での電磁波送受信を行なうために用いられるとともに、ＲＦＩＤタグ６が動作するための起電力を発生する役割を有する。ＩＣチップ部６１は、データ受信部６１１、データ送信部６１２、制御部６１３、メモリ部６１４を有し、メモリ部６１４はＲＦＩＤタグ６を一意に識別するために用いられる識別子(ＩＤ)やその他のデータを記憶し、制御部６１３はＲＦＩＤタグリーダライタ６４との間の通信プロトコル制御を行なう機能を有する。
【０００６】
図７に示されるように、電池を内蔵しないパッシブ型のＲＦＩＤタグ６では、ＲＦＩＤタグリーダライタ６４により発生した電磁波９２が、ＲＦＩＤタグ６のループコイルアンテナ６２内を通過することによって、電磁誘導によりループコイルアンテナ６２にタグ動作に必要な起電力が発生する。この誘導起電力によって、ＲＦＩＤタグ６はＲＦＩＤタグリーダライタ６４との間で取り決められた所定の通信プロトコルに従って、ＩＤの読み書き、データの読み書きといった所望の動作を行なうことができる。
【０００７】
上述のように、ＲＦＩＤタグ６はＲＦＩＤタグリーダライタ６４のアンテナ６４１からの電磁波９２をループコイルアンテナ６２で受けることにより起電力が発生し、動作するものであるため、動作に十分な電磁波の供給がある限りにおいて、ＲＦＩＤタグ６は動作可能である。電磁波９２は視覚的に確認することができず、また、遮蔽物があっても、その材質によっては遮蔽物を通過するという特徴がある。
【０００８】
しかしながら、電磁波９２による通信を行なうことについては、上述のような電磁波９２の持つ特徴によって利点と同時に欠点も存在している。つまり、ＲＦＩＤタグリーダライタ６４とＲＦＩＤタグ６の間に遮蔽物があっても、電磁波が届けば読み取りが可能であるということは、特に、人間がＲＦＩＤタグ６を所持している場合に、ＲＦＩＤタグ６の所持者にとって意図しない読み取り、例えば、所持者が気付かないうちに、所持しているＲＦＩＤタグの記憶しているデータを他人に読み取られるなどといったことが発生する可能性があり、プライバシー保護の観点から見ると深刻な問題につながる恐れがある。
【０００９】
意図しない読み取りに起因するプライバシー侵害としては、ＲＦＩＤタグ６が記憶する固有の識別子(ＩＤ)が読み出され、これを追跡されることによるものと、ＲＦＩＤタグ内６に記憶保持されている例えば個人情報などのさまざまなデータが読み出されることによるものとが考えられる。
【００１０】
前者の問題に対する解決策としては、例えば、タグにロジックや記憶領域を追加し、リーダからの読み出し要求に対してタグが毎回異なるＩＤを送信するようにさせることにより、ＩＤ読み出しを行なう側がＩＤの同定を行なうことを困難にする方法が提案されている（特許文献１参照）。また、後者の問題に対する解決策としては、タグ内に書き込むデータをあらかじめ暗号化し、暗号化されたデータを書き込むことにより、データの保護を行なう方法が提案されている。
【特許文献１】特開２００４-１９２６４５号公報
【発明の開示】
【発明が解決しようとする課題】
【００１１】
しかしながら、特許文献１に開示された方法では、タグにロジックや記憶領域を追加する必要が生じたり、データを暗号化する方法では、暗号化されたデータを復元するための、例えば公開鍵インフラストラクチャ(Ｐｕｂｒｉｃ  Ｋｅｙ  Ｉｎｆｒａｓｔｒｕｃｔｕｒｅ)のような仕組みをシステムとして用意したりする必要があるなど、タグの単価増大、リーダおよびシステム全体のコスト増大の要因となる恐れがある。
【００１２】
このような意図しない読み取りを少ないコストで防止するためには、ＲＦＩＤタグが内部に記憶するＩＤやデータを、ＲＦＩＤリーダライタを用いて読み取ることが可能である状態と不可能である状態とを、ＲＦＩＤタグの所持者もしくは適切な権限を持つ者が任意に制御することを可能とするＲＦＩＤタグが提供されることが望ましい。
【００１３】
本発明の目的は、ＲＦＩＤタグ、ＲＦＩＤタグリーダ、およびＲＦＩＤシステムに対して付加的なコストを必要とせず、データの読み出しが可能な状態と不可能な状態との切り替えを任意に制御可能なＲＦＩＤタグを提供することにある。
【課題を解決するための手段】
【００１４】
本発明のＲＦＩＤタグは、
データが格納されたＩＣチップ部とそのＩＣチップ部と接続して外部と交信するループコイルアンテナとが配設された基板を有するＲＦＩＤタグにおいて、ループコイルアンテナが畳み込まれてそれぞれがほぼ平行な状態で重なるように、基板が重ね合わせ可能であることを特徴とする。
【００１５】
ループコイルアンテナの中心線近傍を折り畳み位置としてそのループコイルアンテナの両側がほぼ平行な状態で重なるように、基板が重ね合わせ可能であってもよく、基板は１枚の曲げ伸ばし可能な材料から構成されており、その基板は両側がほぼ平行な状態で重なるように折り重ね可能であってもよく、基板は第１の基板と第２の基板との２枚に分割され、ループコイルアンテナも第１の部分ループコイルアンテナと第２の部分ループコイルアンテナとにほぼ対称に分割され、第１の基板には第１の部分ループコイルアンテナが配設され、第２の基板にはＩＣチップ部と第２の部分ループコイルアンテナが配設され、第１の部分ループコイルアンテナの両端部と第２の部分ループコイルアンテナの両端部とは、それぞれ導電性を有する曲げ伸ばし可能な接続部材で接続されていてもよい。
【００１６】
また、他の態様では、データが格納されたＩＣチップ部とそのＩＣチップ部と接続して外部と交信するループコイルアンテナとが配設された基板を有するＲＦＩＤタグにおいて、ＩＣチップ部とそのＩＣチップ部と接続するループコイルアンテナの複数の組み合わせが、複数のループコイルアンテナが平行な状態で重なるように、基板が重ね合わせ可能であることを特徴とする。
【００１７】
ＩＣチップ部とそのＩＣチップ部と接続するループコイルアンテナの第１の組み合わせと、ＩＣチップ部とそのＩＣチップ部と接続するループコイルアンテナの第１の組み合わせと線対称な第２の組み合わせが、ほぼ平行で面対称な状態で重なるように、基板が重ね合わせ可能であってもよく、基板は１枚の曲げ伸ばし可能な材料から構成されており、その基板は両側がほぼ平行な状態で重なるように折り重ね可能であってもよく、基板は第１の基板と第２の基板との２枚に分割され、第１の基板にはＩＣチップ部とそのＩＣチップ部と接続するループコイルアンテナの第１の組み合わせが配設され、第２の基板にはＩＣチップ部とそのＩＣチップ部と接続するループコイルアンテナの第２の組み合わせが配設されていてもよい。
【００１８】
さらに、会員証として必要なデータがＩＣチップ部に記憶されていてもよく、スタンプカードとして必要なデータがＩＣチップ部に記憶されていてもよい。
【００１９】
ＲＦＩＤタグを折り曲げた状態として、内部のループコイルアンテナの折り曲げ角度を０度に近くすることによってループの有効面積が最小となり、電磁波の受信能力が最小となる。また、複数のループアンテナを重ね合わせることによって、返信する電磁波同士が干渉し、ＲＦＩＤタグリーダライタ側で正しいデータを受け取ることが困難となる。
【発明の効果】
【００２０】
本発明のＲＦＩＤタグでは、外部からの読み取りを行なわせたくない場合などの非使用時には、ＲＦＩＤタグを折り曲げた状態として、内部のループコイルアンテナの折り曲げ角度を０度に近くすることによってループの有効面積を最小として電磁波の受信能力を最小としたり、また、複数のループアンテナを重ね合わせることによって返信する電磁波同士を干渉させ、ＲＦＩＤタグリーダライタ側で正しいデータを受け取ることを困難にしたりすることができるので、ＲＦＩＤタグの所持者もしくは適切な権限を持つ者が、ＲＦＩＤタグを折り曲げる、伸ばす、あるいは重ねる、離すという物理的な操作を行なうことにより、ＲＦＩＤリーダライタがそのＲＦＩＤタグのデータにアクセスが可能もしくは不可能である状態を任意に制御することが可能となる。それによって、ＲＦＩＤタグからの意図しない読み取りを防止することができるので、プライバシーを保護しつつ、利用者の意図に基づいてタグデータの利用を可能にすることができるという効果がある。
【発明を実施するための最良の形態】
【００２１】
本発明のＲＦＩＤタグでは、折り曲げ可能な柔軟性のある基板上にループコイルアンテナおよびＩＣチップ部を実装、もしくは複数の基板上にループコイルアンテナおよびＩＣチップ部を実装し、ＲＦＩＤタグを使用する者が、物理的操作を通じて、その基板を折り曲げた状態および伸ばした状態にする、またはその基板同士が重ね合わさった状態および離れた状態にすることを可能にすることによって、利用者がその意図に基づき、ＲＦＩＤタグリーダライタからのそのＲＦＩＤタグへのアクセス可否を制御することを可能にする。
【００２２】
次に、本発明の実施の形態について図面を参照して説明する。図１は本発明の第１の実施の形態のＲＦＩＤタグの構成を示す模式的斜視図であり、（ａ）はＲＦＩＤタグのＲＦＩＤタグインレイを折り曲げた状態、（ｂ）はＲＦＩＤタグのＲＦＩＤタグインレイを開いた状態である。図１に示すように、本発明の第１の実施の形態では、ループコイルアンテナ１２およびＩＣチップ部１１をそれぞれ１つの基板１３上に実装してＲＦＩＤタグインレイ１０を構成し、ループコイルアンテナ１２とＩＣチップ部１１との間は配線によって物理的・電気的に接続されている。この状態のＲＦＩＤタグインレイ１０はそのままでもＲＦＩＤタグ１として使用可能であるが、さらに、ＲＦＩＤタグインレイ１０を２つに折り曲げ可能となるように外装してＲＦＩＤタグ１としてもよい。ここでは説明を容易にするためにＲＦＩＤタグインレイ１０をＲＦＩＤタグ１として説明する。基板１３は、曲げ伸ばしが可能なようにＰＥＴフィルム、紙、薄いゴムなどの柔軟な材料で作られている。
【００２３】
次に第１の実施の形態のＲＦＩＤタグ１の動作について説明する。本発明の第１の実施の形態のＲＦＩＤタグ１の所持者は、通常時には折り曲げられた状態でＲＦＩＤタグ１を所持する。図２はＲＦＩＤタグ１を折り曲げた場合と開いた場合の電磁波とアンテナの関係を説明するための模式的斜視図であり、（ａ）は折り曲げた状態、（ｂ）は開いた状態である。
【００２４】
上述のように、ＲＦＩＤタグ１は、ループコイルアンテナ１２を通過する電磁波９２によって起電力を得て動作するものであるが、図２（ａ）に示すように、本発明の第１の実施の形態によるＲＦＩＤタグ１では、通常時はループコイルアンテナ１２が２つに折り曲げられた状態となっており、ループコイルアンテナ１２のループとしての開口面積が非常に小さくなっている。従って、ループコイルアンテナ１２を通過するＲＦＩＤタグリーダライタからの電磁波９２が非常に少なく、ＲＦＩＤタグ１の動作に必要な電磁波を得ることが非常に困難となっている。
【００２５】
一方、ＲＦＩＤタグ１の所持者が、ＲＦＩＤタグリーダライタにＲＦＩＤタグ１のデータへのアクセスを行なわせたい場合には、このような折り曲げられた状態から、ＲＦＩＤタグ１を図２（ｂ）に示すように平面状に伸ばせばよい。これにより、ループコイルアンテナ１２の開口部分を通過する電磁波が十分に得られることとなり、所望のアクセスを行なわせることが可能となる。従って、本発明の第１の実施の形態のＲＦＩＤタグでは上述のような効果が得られる。ここでは、基板１３を２つ折りとして説明しているが構造的に可能であれば３つ以上に折り畳んでも同様の機能が得られる。
【００２６】
ループコイルアンテナ１２を構成する材料としては、現在主にアルミニウムや銅などの良導体金属を用いることが一般的であるが、金属を用いた場合、ＲＦＩＤタグ１の曲げ伸ばしを繰り返すことにより、金属部分が疲労しタグの劣化を早める恐れがあるので、例えばループコイルアンテナ１２を構成する材料として導電性のプラスチックを用いることが望ましい。さらに将来的に導電性のインキや導電性の塗料がループコイルアンテナ１２として使用可能になった場合には、これらの材料を用いてループコイルアンテナ１２を構成することにより、アンテナの耐久性を改善することが可能であると考えられる。
【００２７】
次に、本発明の第２の実施の形態のＲＦＩＤタグについて説明する。図３は本発明の第２の実施の形態のＲＦＩＤタグの構成を示す模式的斜視図であり、（ａ）はＲＦＩＤタグのＲＦＩＤタグインレイを折り曲げた状態、（ｂ）はＲＦＩＤタグのＲＦＩＤタグインレイを開いた状態である。図３に示すように、本発明の第２の実施の形態では、基板は第１の基板２３ａと第２の基板２３ｂとに分かれており、ループコイルアンテナも第１の部分ループコイルアンテナ２２ａと第２の部分ループコイルアンテナ２２ｂとに分かれている。第１の基板２３ａ上には第１の部分ループコイルアンテナ２２ａが実装され、第２の基板２３ｂ上に第２の部分ループコイルアンテナ２２ｂおよびＩＣチップ部２１が実装されており、さらに第１の部分ループコイルアンテナ２２ａと第２の部分ループコイルアンテナ２２ｂとが物理的接続部２７で電気的にも接続されてＲＦＩＤタグインレイ２０を構成している。この状態のＲＦＩＤタグインレイ２０はそのままでもＲＦＩＤタグ２として使用可能であるが、さらに、ＲＦＩＤタグインレイ２０を２つに折り曲げ可能となるように外装してＲＦＩＤタグ２としてもよい。ここでは説明を容易にするためにＲＦＩＤタグインレイ２０をＲＦＩＤタグ２として説明する。また、ここでは基板およびループコイルアンテナを２つに分割しているが構造的に可能であれば３つ以上に分割しても同様の機能が得られる。部分ループコイルアンテナ２２ａ、２２ｂ同士を接続する物理的接続部２７は、曲げ伸ばしが可能なように、アルミ線、銅線などの柔軟な材料で構成する。
【００２８】
次に第２の実施の形態のＲＦＩＤタグ２の動作について説明する。本発明の第２の実施の形態によるＲＦＩＤタグにおいては、２つの基板が重ね合わさった状態では、ＲＦＩＤタグ２の物理的接続部２７で接続された部分ループコイルアンテナ２２ａ、２２ｂで形成されるループコイルアンテナの開口面積が非常に小さくなっており、ループコイルアンテナ２２ａ、２２ｂを通過する電磁波が非常に少なく、ＲＦＩＤタグ２の動作に必要な電磁波を得ることが非常に困難である。重ね合わさった状態から伸ばされた状態にすると、部分ループコイルアンテナ２２ａ、２２ｂで形成されるループコイルアンテナの開口面積が大きくなり、ＲＦＩＤタグ２の動作が可能となる。
【００２９】
以上に述べたように、第２の実施の形態によるＲＦＩＤタグ２でも、第１の実施の形態によるＲＦＩＤタグ１と同様にＲＦＩＤタグ２の所持者もしくは適切な権限を持つ者が、重ね合わせ状態、伸ばされた状態という物理的な操作を行なうことにより、ＲＦＩＤタグリーダライタがその第２の実施の形態によるＲＦＩＤタグ２にアクセス可能な状態と不可能状態とに任意に制御することができるので、プライバシーを保護しつつ、利用者の意図に基づいたタグデータ利用が可能である。
【００３０】
次に、本発明の第３の実施の形態のＲＦＩＤタグについて説明する。図４は本発明の第３の実施の形態のＲＦＩＤタグの構成を示す模式的斜視図であり、（ａ）はＲＦＩＤタグのＲＦＩＤタグインレイを折り曲げた状態、（ｂ）はＲＦＩＤタグのＲＦＩＤタグインレイを開いた状態である。図４に示すように、本発明の第３の実施の形態では、第１のループコイルアンテナ３２ａと第１のＩＣチップ部３１ａとの組み合わせ、および第２のループコイルアンテナ３２ｂと第２のＩＣチップ部３１ｂとの組み合わせを１つの基板３３上に実装し、第１のループコイルアンテナ３２ａと第１のＩＣチップ部３１ａとの間を物理的・電気的に接続するとともに、第２のループコイルアンテナ３２ｂと第２のＩＣチップ部３１ｂとの間を物理的・電気的に接続する。この状態のＲＦＩＤタグインレイ３０はそのままでもＲＦＩＤタグ３として使用可能であるが、さらに、ＲＦＩＤタグインレイ３０を２つに折り曲げ可能となるように外装してＲＦＩＤタグ３としてもよい。ここでは説明を容易にするためにＲＦＩＤタグインレイ３０をＲＦＩＤタグ３として説明する。基板３３は、曲げ伸ばしが可能なように、柔軟な材料(ＰＥＴフィルム、紙、薄いゴムなど)で作られている。
【００３１】
次に第３の実施の形態のＲＦＩＤタグ３の動作について説明する。本発明の第３の実施の形態によるＲＦＩＤタグ３の所持者は、通常時には折り曲げられた状態でＲＦＩＤタグ３を所持する。本構成の場合、本発明の第１の実施の形態の構成とは異なり、折り曲げられた状態でもループコイルアンテナ３２ａ、３２ｂの開口部分の面積は十分に確保されているため、第１のＩＣチップ部３１ａおよび第２のＩＣチップ部３２ｂの動作に必要な起電力は確保されている。しかしながら、ＲＦＩＤタグ３の特徴として、複数のループコイルアンテナ、即ちループコイルアンテナ３２ａ、３２ｂが極端に近接している場合には、ＲＦＩＤタグ３がＲＦＩＤタグリーダライタのアクセス要求に応じて返信する電磁波同士が干渉し、ＲＦＩＤタグリーダライタにおける正しいデータの受信が不可能、もしくは読み取りの性能が著しく劣化するという特徴があるため、ＲＦＩＤタグリーダライタ側で正しいデータを受け取ることが非常に困難となる。
【００３２】
一方、そのＲＦＩＤタグ３の所持者が、ＲＦＩＤタグリーダライタにタグのデータへのアクセスを行なわせたい場合には、上述のような折り曲げられた状態から、これを平面状に伸ばせばよい。これにより、ＲＦＩＤリーダライタのアクセス要求に対するタグの返信波同士の干渉が起こらないようになり、ＲＦＩＤリーダライタ側からは２つのＲＦＩＤタグがリーダライタの読み取り可能領域内に存在するものとして認識され、所望のＩＤもしくはデータを読み取ることが可能である。読み取りに必要なデータは第１のＩＣチップ部３１ａあるいは第２のＩＣチップ部３１ｂに書き込んでおけばよい。
【００３３】
本実施の形態では、ＩＣチップ部３１とループコイルアンテナ３２がそれぞれ２個の場合について説明したが、３個以上の場合についてもループコイルアンテナ３２同士が重ね合わさった状態と互いに離れた状態になるようＲＦＩＤタグ３のＲＦＩＤタグインレイ３０を構成することにより同様の効果を得ることができる。
【００３４】
以上に述べたように、第３の実施の形態によるＲＦＩＤタグ３では、外部からの読み取りを行なわせたくない場合などの非使用時には、第１および第２の実施の形態によるＲＦＩＤタグ１、２と同様に、ＲＦＩＤタグを折り曲げた状態として、内部の２個のループコイルアンテナが重なった状態にすることによってＲＦＩＤタグリーダライタにおける正しいデータの受信が不可能、もしくは読み取りの性能が著しく劣化した状態となり、読み取りを行なわせる必要のある使用時には、ＲＦＩＤタグを折り曲げた状態から伸ばした状態にすることによって内部の２個のループコイルアンテナが有効となりＲＦＩＤタグリーダライタにおける受信能力を回復させることができる。
【００３５】
ＲＦＩＤタグ３の所持者もしくは適切な権限を持つ者が、重ね合わせ状態、伸ばされた状態という物理的な操作を行なうことにより、ＲＦＩＤタグリーダライタがその第３の実施の形態によるＲＦＩＤタグ３にアクセス可能な状態と不可能状態とに任意に制御することができるので、ＲＦＩＤタグからの意図しない読み取りを防止することができる。従って、第１および第２の実施の形態と同様に、プライバシーを保護しつつ、利用者の意図に基づいてタグデータの利用を可能にすることができるという効果がある。
【００３６】
次に、本発明の第４の実施の形態のＲＦＩＤタグについて説明する。図５は本発明の第４の実施の形態のＲＦＩＤタグの構成を示す模式的斜視図であり、（ａ）はＲＦＩＤタグの２個のＲＦＩＤタグインレイを重ねた状態、（ｂ）はＲＦＩＤタグの２個のＲＦＩＤタグインレイを離した状態である。図５に示すように、本発明の第４の実施の形態では、第１の基板４３ａ上に第１のループコイルアンテナ４２ａと第１のＩＣチップ部４１ａとが実装され、両者が物理的・電気的に接続されて第１のＲＦＩＤタグインレイ４０ａが形成され、第２の基板４３ｂ上に第２のループコイルアンテナ４２ｂと第２のＩＣチップ部４１ｂとが実装され、両者が物理的・電気的に接続されて第２のＲＦＩＤタグインレイ４０ｂが形成されている。ここで第１の基板４３ａと第２の基板４３ｂとは何らかの物理的接続手段をもって接続されていても構わないし、接続されていなくても構わない。この状態のＲＦＩＤタグインレイ４０ａ、４０ｂはそのままでもＲＦＩＤタグ４ａ、４ｂとして使用可能であるが、さらに、ＲＦＩＤタグインレイ４０ａ、ＲＦＩＤタグインレイ４０ｂを外装してそれぞれをＲＦＩＤタグ４ａ、４ｂとしてもよい。ここでは説明を容易にするためにＲＦＩＤタグインレイ４０ａ、４０ｂをＲＦＩＤタグ４ａ、４ｂとして説明する。
【００３７】
本発明の第４の実施の形態による２つのＲＦＩＤタグ４ａ、４ｂが重ね合わさった状態では、ループコイルアンテナ４２ａ、４２ｂ同士が密着した状態となっており、ＲＦＩＤタグリーダライタのアクセス要求に応じて返信する電磁波同士が干渉するため、ＲＦＩＤタグリーダライタ側で正しいデータを受け取ることが非常に困難となっている。重ね合わさった状態から、２つのＲＦＩＤタグ４ａ、４ｂ同士の距離を離すことによって、ループコイルアンテナ４２ａ、４２ｂが離れて電磁波同士の干渉が小さくなり、ＲＦＩＤタグリーダライタが、リーダライタの読み取り可能領域内に２つのＲＦＩＤタグが存在するものとして認識される。
【００３８】
以上に述べたように、第４の実施の形態によるＲＦＩＤタグ４ａ、４ｂでも、タグの所持者もしくは適切な権限を持つ者が、２つのＲＦＩＤタグ４ａ、４ｂ同士、即ちループコイルアンテナ４２ａ、４２ｂ同士が重ね合わせられた状態、あるいは２つのＲＦＩＤタグ４ａ、４ｂ同士、即ちループコイルアンテナ４２ａ、４２ｂ同士の間に距離がある状態になるように物理的な操作を行なうことにより、ＲＦＩＤタグリーダライタが２つのＲＦＩＤタグにアクセス不可能な状態と可能な状態とに任意に制御することができる。従って、第１から第３の実施の形態と同様に、プライバシーを保護しつつ、利用者の意図に基づいてタグデータの利用を可能にすることができるという効果がある。
【図面の簡単な説明】
【００３９】
【図１】本発明の第１の実施の形態のＲＦＩＤタグの構成を示す模式的斜視図であり、（ａ）はＲＦＩＤタグのＲＦＩＤタグインレイを折り曲げた状態、（ｂ）はＲＦＩＤタグのＲＦＩＤタグインレイを開いた状態である。
【図２】ＲＦＩＤタグ１を折り曲げた場合と開いた場合の電磁波とアンテナの関係を説明するための模式的斜視図であり、（ａ）は折り曲げた状態、（ｂ）は開いた状態である。
【図３】本発明の第２の実施の形態のＲＦＩＤタグの構成を示す模式的斜視図であり、（ａ）はＲＦＩＤタグのＲＦＩＤタグインレイを折り曲げた状態、（ｂ）はＲＦＩＤタグのＲＦＩＤタグインレイを開いた状態である。
【図４】本発明の第３の実施の形態のＲＦＩＤタグの構成を示す模式的斜視図であり、（ａ）はＲＦＩＤタグのＲＦＩＤタグインレイを折り曲げた状態、（ｂ）はＲＦＩＤタグのＲＦＩＤタグインレイを開いた状態である。
【図５】本発明の第４の実施の形態のＲＦＩＤタグの構成を示す模式的斜視図であり、（ａ）はＲＦＩＤタグの２個のＲＦＩＤタグインレイを重ねた状態、（ｂ）はＲＦＩＤタグの２個のＲＦＩＤタグインレイを離した状態である。
【図６】従来例のＲＦＩＤタグおよびＲＦＩＤタグインレイの構造と構成を示す模式図であり、（ａ）は構造を示す模式的上面図であり、（ｂ）は構成を示す模式的ブロック図である。
【図７】ＲＦＩＤタグの動作原理を説明するための模式的斜視図である。
【符号の説明】
【００４０】
１、２、３、４、６    ＲＦＩＤタグ
１０、２０、３０    ＲＦＩＤタグインレイ
１１、２１、６１    ＩＣチップ部
１２、６２    ループコイルアンテナ
１３、３３、６３    基板
２２ａ、３２ａ、４２ａ    第１のループコイルアンテナ
２２ｂ、３２ｂ、４２ｂ    第２のループコイルアンテナ
２３ａ、４３ａ    第１の基板
２３ｂ、４３ｂ    第１の基板
２７    物理的接続部
３１ａ、４１ａ    第１のＩＣチップ部
３１ｂ、４１ｂ    第２のＩＣチップ部
４０ａ    第１のＲＦＩＤタグインレイ
４０ｂ    第２のＲＦＩＤタグインレイ
６４    ＲＦＩＤタグリーダライタ
９１    電流
９２    電磁波
６１１    データ受信部
６１２    データ送信部
６１３    制御部
６１４    メモリ部
【図１】
2006148462.tif 000003
【図２】
2006148462.tif 000004
【図３】
2006148462.tif 000005
【図４】
2006148462.tif 000006
【図５】
2006148462.tif 000007
【図６】
2006148462.tif 000008
【図７】
2006148462.tif 000009